(57)【特許請求の範囲】
【請求項１】
複数個配置されそれぞれ電磁ロックされるふたを有するキー収納室を設け、少なくとも人体的特徴点を含む複数の識別媒体を用い、少なくとも人体的特徴点の判別結果によって上記キー収納室のふたのロックを解除する装置において、登録された人体的特徴点それぞれに識別番号が対応付けられており、人体的特徴点の登録数が所定数以上のときは、入力された識別番号に基づき人体的特徴点を抽出して照合し、上記登録数が上記所定数未満のときは、識別番号の入力を要せずに登録された人体的特徴点を順次照合する判別手段を備えたことを特徴とするキー管理装置。
【請求項２】
人体的特徴点として指紋を用いることを特徴とする請求項１記載のキー管理装置。
【請求項３】
複数個配置されそれぞれ電磁ロックされるふたを有するキー収納室を設け、少なくとも人体的特徴点により個人を判別して上記キー収納室のふたのロックを解除するキー管理方法において、人体的特徴点の登録数が所定数以上か否かを判定するステップと、上記登録数が上記所定数以上のときは識別番号を要求するステップと、上記識別番号に対応する人体的特徴点を抽出して照合するステップと、上記登録数が上記所定数未満のときは登録された人体的特徴点を順次照合するステップとを備えたことを特徴とするキー管理方法。
【発明の詳細な説明】
【０００１】
【発明の属する技術分野】
この発明は、指紋等の人体的特徴点を照合してキー収納室のふたの開閉を管理する装置及びその管理方法に関するものである。
【０００２】
【従来の技術】
複数のテナントを持つ建物では、その玄関付近に各テナントのキーを一括管理するため、例えば特開昭６１−１８３５８２号公報に示されるようなキーボックスを設置することがある。このキーボックスには複数のキー収納室が設けられ、各テナントのキーが収納される。キー収納室にはそれぞれ電磁ロックされるふたが設けられ、該当するキー収納室の使用者であることを判別してロックを解除してふたを開くように管理されている。
【０００３】
そして、個人を判別する装置として、例えば特開昭６１−２５５６３９号公報に示されるような指紋を照合する装置を用いることが提案されている。これは、所定の指の指紋を撮像し、その画面の濃淡を電気信号に変換して指紋の特徴点データを出力し、これをあらかじめ登録された特徴点データと照合して、両者が一致するか又は不一致であるかを判断するものである。そしてふたが閉じている場合、上記特徴点データの一致が判断されると、電磁ロックを解除し、不一致が判断されると電磁ロックは解除されない。
【０００４】
ここで、入力された特徴点データは、登録された特徴点データに対して順次照合して両者が一致するものを探すことになるが、指紋１個に対するデータ量が多いため、照合時間は長くなり、指紋１個に対して約１秒必要である。そのため、多数の登録データの中から、入力された指紋と一致する指紋を探すには長時間を要することになる。
【０００５】
そこで、識別番号（以下ＩＤ番号という）に対応して特徴点データを記憶し、テンキーやカードによってＩＤ番号を入力して上記記憶データのアドレスを指定するようにしている。このようにすれば、登録データを早く探すことができ、探したデータとだけ照合すればよいので、処理は早く終了できる。
【０００６】
【発明が解決しようとする課題】
上記のような従来のキー管理装置では、指紋照合の外に、テンキーやカードによってＩＤ番号を入力するようにしているため、いつでもテンキー又はカードの操作が必要になり、操作に手間がかかり、またその操作分だけ照合時間が長くなるという問題点がある。
【０００７】
この発明は上記問題点を解消するためになされたもので、所定の条件下では、照合操作を簡単にできるようにしたキー管理装置及びその管理方法を提供することを目的とする。
【０００８】
【課題を解決するための手段】
この発明の第１発明に係るキー管理装置は、複数個配置されそれぞれ電磁ロックされるふたを有するキー収納室を設け、少なくとも人体的特徴点を含む複数の識別媒体を用い、少なくとも人体的特徴点の判別結果によって上記キー収納室のふたのロックを解除する装置において、登録された人体的特徴点それぞれに識別番号が対応付けられており、人体的特徴点の登録数が所定数以上のときは、入力された識別番号に基づき人体的特徴点を抽出して照合し、上記登録数が上記所定数未満のときは、識別番号の入力を要せずに登録された人体的特徴点を順次照合する判別手段を備えたものである。
【０００９】
また、第２発明に係るキー管理装置は、第１発明のものにおいて、人体的特徴点として指紋を用いるようにしたものである。
【００１０】
また、第３発明に係るキー管理方法は、複数個配置されそれぞれ電磁ロックされるふたを有するキー収納室を設け、少なくとも人体的特徴点により個人を判別して上記キー収納室のふたのロックを解除するキー管理方法において、人体的特徴点の登録数が所定数以上か否かを判定するステップと、上記登録数が上記所定数以上のときは識別番号を要求するステップと、上記識別番号に対応する人体的特徴点を抽出して照合するステップと、上記登録数が上記所定数未満のときは登録された人体的特徴点を順次照合するステップとを備えたものである。
【００１１】
【発明の実施の形態】
実施の形態１．
図１〜図４はこの発明の第１、第３、第５及び第６発明の一実施の形態を示す図で、図１はキーボックスの斜視図、図２はキーボックスのブロック線図、図３及び図４は動作フローチャートである。
【００１２】
図１及び図２において、１はキーボックス、２は複数個（図では６個）配置されキー（図示しない）を収納するキー収納室で、それぞれふたで開閉可能となっており、各ふたは電磁ロック３が設けられ、ふたを施錠又は解錠するようになっている。４はテンキー、５は指紋を読み取る指紋リーダ、６は動作モード、照合結果等を表示する表示部、７はＣＰＵ、８はＲＯＭ、９はＲＡＭ、１０は電磁ロック３の動作を制御する電磁ロック制御部である。
【００１３】
次に、この実施の形態の動作を図３及び図４を参照して説明する。なお、このフローチャートのプログラムはＲＯＭ８に記憶されている。
この装置を運用する場合は、まず所定の指の指紋を登録し、この指紋の照合によって該当するキー収納室２のふたを解錠する。
Ａ．指紋登録動作
指紋を登録するには、テンキー４を操作して「登録モード」を設定した後指を指紋リーダ５に置いて指紋を登録する。
ステップＳ１でテンキー４から登録モード番号が入力されたかを判断し、入力されればステップＳ２で表示部６に「登録モード」を表示し、ステップＳ３で表示部６に「暗証番号を入力してください」と表示する。
【００１４】
ステップＳ４で所定時間内にテンキー４から暗証番号が入力されたかを判断し、入力されればステップＳ５で表示部６に「指を置いてください」と表示する。ステップＳ６で指紋リーダ５が指紋をリードしたかを判断し、リードしていなければステップＳ５へ戻り、指紋をリードすればステップＳ７へ進む。ステップＳ７ではリードした指紋の特徴点を演算する。ステップＳ８でテンキー４を操作して該当するキー収納室の番号（以下窓番号という）を入力する。
【００１５】
ステップＳ９で表示部６に「登録ＯＫ」を表示し、ステップＳ１０で暗証番号と特徴点と窓番号とを１組としてＲＡＭ９に記憶してステップＳ３へ戻る。これで指紋は登録されたことになる。
【００１６】
Ｂ．指紋照合動作
指紋を照合するには、テンキー４を操作して「照合モード」を設定した後、表示部６の指示に従って指を指紋リーダ５に置いて指紋を照合する。
ステップＳ１でテンキー４から登録モード番号が入力されないとき（又は登録モード番号が入力されても、所定時間内に暗証番号が入力されないとき）は、ステップＳ１１でテンキー４から照合モード番号が入力されたかを判断し、入力されなければステップＳ１へ戻る。
【００１７】
照合モード番号が入力されるとステップＳ１２で表示部６に「照合モード」を表示して、ステップＳ１３へ進む。ステップＳ１３ではキー収納室２の登録人数がｘ人以上かを判断し、ｘ人以上であればステップＳ１４で暗証番号が入力されるのを待つ。操作者がテンキー４を操作して暗証番号を入力すると、ステップＳ１５で暗証番号は「正」であるかを判断し、「正」でなければステップＳ１６で表示部６に「ＮＧ」を表示してステップＳ１４へ戻る。
【００１８】
暗証番号が「正」であればステップＳ１７へ進み、表示部６に「指を置いてください」と表示する。ステップＳ１８で指紋リーダ５が指紋をリードしたかを判断し、リードしていなければステップＳ１７へ戻り、指紋をリードすればステップＳ１９へ進む。ステップＳ１９ではリードした指紋の特徴点を演算する。ステップＳ２０ではリードした指紋の特徴点がＲＡＭ９に登録されている特徴点と一致したかを判断し、一致しなければステップＳ２１で表示部６に「ＮＧ」を表示してステップＳ１４へ戻る。
【００１９】
特徴点が一致すればステップＳ２２で表示部６に「ＯＫ」を表示してステップＳ２３へ進み、電磁ロック制御部１０により、ＲＡＭ９に記憶されている該当するキー収納室２の電磁ロック３を外す。これで、該当するキー収納室２のふたは解錠されて開く。ここで、使用者はキー収納室２内のキーを取り出すか、又はキーをキー収納室２内に収納することになる。そして、ステップＳ２４でふたを手で閉めるとふたは電磁ロックされて施錠され、処理は終了する。
【００２０】
次に、ステップＳ１３で登録人数がｘ人未満と判断すると、ステップＳ２５へ進み表示部６に「指を置いてください」と表示する。ステップＳ２６で指紋リーダ５が指紋をリードしたかを判断し、リードしていなければステップＳ１３へ戻り、指紋をリードすればステップＳ２７へ進む。ステップＳ２７ではリードした指紋の特徴点を演算する。ステップＳ２８ではリードした指紋の特徴点がＲＡＭ９に登録されている特徴点と一致するものがあるかを判断する。一致するものがなければステップＳ２９で表示部６に「ＮＧ」を表示してステップＳ１３へ戻る。
【００２１】
特徴点が一致するものがあればステップＳ３０で表示部６に「ＯＫ」を表示してステップＳ３１へ進み、電磁ロック制御部１０により該当するキー収納室２の電磁ロック３を外す。これで、該当するキー収納室２のふたは解錠されて開く。ここで、使用者はキー収納室２内のキーを取り出すか、又はキーをキー収納室２内に収納することになる。そして、ステップＳ３２でふたを手で閉めると、ふたは電磁ロックされて施錠され、処理は終了する。ここで、Ｓ１３は媒体選択手段を、Ｓ１３〜Ｓ２０は第１の判別手段を、Ｓ１３，Ｓ２５〜Ｓ２８は第２の判別手段を構成している。
【００２２】
このようにして、識別媒体としてテンキー４から入力されるＩＤ番号と、人体的特徴点である指紋を用い、キー収納室２について登録された人数によって、ＩＤ番号と指紋のいずれを使用するかを選択するようにしている。すなわち、登録人数がｘ人以上のときはＩＤ番号の照合及び指紋の照合によって個人を判別し、登録人数が所定値未満のときは指紋の照合だけで個人を判別しているため、操作は簡単になる。
【００２３】
また、指紋の照合は既述のように登録データに対し順次行われるが、登録人数が少ないときは照合時間は短縮される。このとき、ＩＤ番号は照合されないため、操作時間は短縮される。
【００２４】
実施の形態２．
図５はこの発明の第２発明の一実施の形態を示し、図４の要部動作フローチャートである。なお、図１〜図３は実施の形態２にも共用する。
すなわち、ステップＳ１３で登録人数がｘ人以上かを判断し、ｘ人以上であればステップＳ４１で昨日のキー収納室２の使用者がｘ人以上かを判断する。ｘ人以上であればステップＳ１４へ進み、暗証番号の入力を待つ。登録人数がｘ人未満であるか、使用者がｘ人未満であればステップＳ２５へ進み、指紋の照合を指示する。ステップＳ４１以外は図４と同様である。
【００２５】
このように、実施の形態１がキー収納室２の登録人数の多少によって識別媒体を選択していたのに対し、実施の形態２は登録人数が多くても、実際使用人数が少ないときは、指紋だけを照合するようにしたため、実施の形態１と同様の効果があるとともに、更にキー収納室２の実状に即した管理をすることが可能となる。
【００２６】
実施の形態３．
この発明の第４発明の一実施の形態を示し、実施の形態１が暗証番号によっても個人判別しているのに対し、実施の形態３では暗証番号を指紋の特徴点データを抽出するために使用するものである。すなわち、特徴点データは暗証番号（又はＩＤ番号）に対応してＲＡＭ９に記憶されており、暗証番号はＲＡＭ９から特徴点データを抽出するためのアドレス的な番号として使用されるものである。具体的には、図４のステップＳ１５及びＳ１６を除去することにより実現できる。
【００２７】
なお、この実施の形態ではテンキー４から暗証番号を入力するものとしたが、カード（磁気、ＩＣ、光、非接触など）等の人体的特徴点以外の識別媒体によって、ＲＡＭ９からの特徴点データ抽出用の暗証番号（又はＩＤ番号）を入力するようにしてもよい。
このようにして、実施の形態１と同様の効果があるとともに、更に処理を簡単にして応答時間を短縮することが可能になる。
【００２８】
他の実施の形態．
指紋の代わりに声紋、網膜、署名、手形、顔形等の人体又はこれに伴う機能を利用する判別手段、すなわちバイオメトリック判別手段を使用する。
テンキー４と指紋リーダ５の近傍にそれぞれ表示灯（発光ダイオード等）を設け、その点灯によりテンキー４と指紋リーダ５の一方又は両方を表示して、操作者に操作機器を明示する。
(3) キー収納室２のふたの開閉を制御する代わりに、該当する部屋の侵入監視を開始するか、終了するかの設定用に、このキーボックス１を使用する。また、これをキー収納室２のふたの開閉制御と併用する。
【００２９】
(4) キーボックス１の使用開始時は指紋だけの照合とし、人数が多くなって来たらテンキー４からの入力を併用する。
【００３０】
【発明の効果】
以上説明したとおりこの発明の第１発明では、登録された人体的特徴点それぞれに識別番号が対応付けられており、人体的特徴点の登録数が所定数以上のときは、入力された識別番号に基づき人体的特徴点を抽出して照合し、上記登録数が上記所定数未満のときは、識別番号の入力を要せずに登録された人体的特徴点を順次照合する判別手段を備えたので、登録人数に応じて簡単な操作を選択することができ、処理を簡単にして応答時間を短縮できる。 
【００３１】
また、第３発明では、複数個配置されそれぞれ電磁ロックされるふたを有するキー収納室を設け、少なくとも人体的特徴点により個人を判別して上記キー収納室のふたのロックを解除するキー管理方法において、人体的特徴点の登録数が所定数以上か否かを判定するステップと、上記登録数が上記所定数以上のときは識別番号を要求するステップと、上記識別番号に対応する人体的特徴点を抽出して照合するステップと、上記登録数が上記所定数未満のときは登録された人体的特徴点を順次照合するステップとを備えているため、第１発明と同様の効果がある。
【図面の簡単な説明】
【図１】 この発明の実施の形態１を示すキーボックスの斜視図。
【図２】 図１のブロック線図。
【図３】 この発明の実施の形態１を示す動作フローチャート。
【図４】 図３の続きを示す動作フローチャート。
【図５】 この発明の実施の形態２を示す図４の要部動作フローチャート。
【符号の説明】
１ キーボックス、２ キー収納室、３ 電磁ロック、４ テンキー、５ 指紋リーダ、６ 表示部、Ｓ１３ 媒体選択手段、Ｓ１３〜Ｓ２０ 第１の判別手段、Ｓ１３，Ｓ２５〜Ｓ２８ 第２の判別手段。
【図１】
0003863225.tif 000002
【図２】
0003863225.tif 000003
【図３】
0003863225.tif 000004
【図４】
0003863225.tif 000005
【図５】
0003863225.tif 000006